(57)【要約】【課題】液晶表示パネルの表示画面より大きなワイド映像を見ることができるようにする。【解決手段】偏光手段としてのフィルタ１１により、表示手段としての液晶表示パネル１３の全走査ラインのうち、所定の走査ライン毎の光が一方向に偏向され、他の走査ライン毎の光が他方向に偏向され、反射手段としての反射パネル１２により、一方向又は他方向に偏向された光が任意の方向に反射されるようにした。また、反射パネル１２が液晶表示パネル１３に対して回動自在に取り付けられるようにし、反射パネル１２による光の向きを任意に設定し、反射パネル１２の角度を調整する。【選択図】図１
2007127941.tif 000002
【特許請求の範囲】
【請求項１】
映像を表示する表示装置であって、
複数の画像データに基づいた映像のデュアルビュー表示が可能な表示手段と、
前記表示手段の全走査ラインのうち、所定の走査ライン毎の光を一方向に偏向し、他の走査ライン毎の光を他方向に偏向する偏光手段と、
前記一方向又は他方向に偏向された光を任意の方向に反射させる反射手段とを備える
ことを特徴とする表示装置。
【請求項２】
前記反射手段は、前記表示手段に対して回動自在に取り付けられていることを特徴とする請求項１に記載の表示装置。
【請求項３】
前記反射手段は、一端を支点として前記偏光手段を閉塞する位置から所定の角度まで回動できるように取り付けられていることを特徴とする請求項１又は２に記載の表示装置。
【請求項４】
前記反射手段は、反射鏡であることを特徴とする請求項１〜３のいずれかに記載の表示装置。
【請求項５】
前記反射手段は、マジックミラーであることを特徴とする請求項１〜３のいずれかに記載の表示装置。
【発明の詳細な説明】
【技術分野】
【０００１】
本発明は、デュアルビュー表示が可能な表示装置及び表示方法に関する。ここで、デュアルビュー表示とは、画面を斜めから見ると左右で異なる映像が見えることである。
【背景技術】
【０００２】
近年、普及がめざましいたとえば液晶ディスプレイにあっては、一台の液晶ディスプレイで、それぞれ内容の異なる映像を同時に見せるといった用途が考えられ、カーナビゲーションシステムで用いられる、デュアルビュー液晶を用いた液晶ディスプレイでの製品化が実現されている。
【０００３】
これは、一台の液晶ディスプレイにより、たとえば運転席にいる視聴者には地図が見えるようにし、助手席にいる視聴者には好みの映像が見えるようにしたものである(デュアルビュー表示)。なお、このようなデュアルビュー液晶を用いた液晶ディスプレイでは、視聴者に地図又は好みの映像の一方のみが見えるようにしたシングルビュー表示も可能である。
【０００４】
このような液晶ディスプレイでの用途としては、カーナビゲーションシステムに限らず、たとえば、接客業務において、店員と客とが相互に異なる表示内容を同時に見ながら、業務を遂行するという用途も考えられる。また、対面する二人が相互に異なる表示内容を同時に見ながら、テレビゲームを行うという用途も考えられる。いずれにしても、このような液晶ディスプレイでの用途は、あらゆる分野において、これから益々ますます広がるものと考えられる。
【０００５】
ここで、特許文献１では、表示画面の各走査ラインに重なるそれぞれの表示セルを有するフレンネルレンズであるフィルタを備え、一表示セルは、表示画面の奇数番目の各走査ラインに重なり、これらの走査ラインからの光を一方向に偏向し、これらの走査ライン上の映像を一方向にのみ表示させ、他表示セルは、表示画面の偶数番目の各走査ラインに重なり、これらの走査ラインからの光を他方向に偏向し、これらの走査ライン上の映像を他方向にのみ表示させることで、対面する二人に相互に異なる表示内容を同時に見せるという用途を実現することが可能な表示装置を提案している。
【特許文献１】特開２００２−９９２２３号公報
【発明の開示】
【発明が解決しようとする課題】
【０００６】
ところで、上述した特許文献１では、奇数番目の各走査ラインからの光を一方向に偏向し、偶数番目の各走査ラインからの光を他方向に偏向することで、対面する二人に相互に異なる表示内容を同時に見せるという用途を実現することが可能となるが、一人に異なる表示内容、あるいは同じ表示内容を同時に見せることで、ワイド映像が見られるようにするという用途には不向きである。
【０００７】
すなわち、表示装置に対面する二人に相互に異なる表示内容を同時に見せるということは、たとえば図４に示すように、液晶ディスプレイ１の「Ａ」の範囲での映像が視聴者ａに見え、「Ｂ」の範囲での別の映像が視聴者ｂに見えるようにしたものである。
【０００８】
この場合、同じ内容の映像の左半分が「Ａ」の範囲で見えるようにし、その右半分が「Ｂ」の範囲で見えるようにすることで、液晶ディスプレイ１の画面が小さくてもワイド映像を見ることが可能となる。
【０００９】
ところが、図４のように、「Ａ」の範囲と「Ｂ」の範囲とが離れているため、ワイド映像を見るようにするためには、頭を左右に振って「Ａ」の範囲と「Ｂ」の範囲とに目線を移動させなければならず、現実的ではないという問題があった。
【００１０】
本発明は、このような状況に鑑みてなされたものであり、上記問題点を解決することができる表示装置及び表示方法を提供することを目的とする。
【課題を解決するための手段】
【００１１】
本発明の表示装置は、映像を表示する表示装置であって、複数の画像データに基づいた映像のデュアルビュー表示が可能な表示手段と、前記表示手段の全走査ラインのうち、所定の走査ライン毎の光を一方向に偏向し、他の走査ライン毎の光を他方向に偏向する偏光手段と、前記一方向又は他方向に偏向された光を任意の方向に反射させる反射手段とを備えることを特徴とする。
また、前記反射手段は、前記表示手段に対して回動自在に取り付けられているようにすることができる。
また、前記反射手段は、一端を支点として前記偏光手段を閉塞する位置から所定の角度まで回動できるように取り付けられているようにすることができる。
また、前記反射手段は、反射鏡であるようにすることができる。
また、前記反射手段は、マジックミラーであるようにすることができる。
本発明の表示装置及び表示方法では、偏光手段により、表示手段の全走査ラインのうち、所定の走査ライン毎の光が一方向に偏向され、他の走査ライン毎の光が他方向に偏向され、反射手段により、一方向又は他方向に偏向された光が任意の方向に反射される。
【発明の効果】
【００１２】
本発明の表示装置及び表示方法によれば、偏光手段により、表示手段の全走査ラインのうち、所定の走査ライン毎の光が一方向に偏向され、他の走査ライン毎の光が他方向に偏向され、反射手段により、一方向又は他方向に偏向された光が任意の方向に反射されるようにしたので、表示画面より大きなワイド映像を見ることができる。
【発明を実施するための最良の形態】
【００１３】
本実施形態では、偏光手段により、表示手段の全走査ラインのうち、所定の走査ライン毎の光が一方向に偏向され、他の走査ライン毎の光が他方向に偏向され、反射手段により、一方向又は他方向に偏向された光が任意の方向に反射されるようにし、表示画面より大きなワイド映像が見られるようにした。
【実施例】
【００１４】
以下、本発明の実施例の詳細について説明する。図１及び図２は、本発明の表示装置を液晶ディスプレイに適用した場合の一実施例を説明するための図である。これらの図に示すように、液晶ディスプレイ１０には、フィルタ１１と反射パネル１２とを有する液晶表示パネル１３が設けられている。
【００１５】
フィルタ１１は、液晶表示パネル１３からの光をＡ，Ｂの方向に偏光するするものである。すなわち、図３に示すように、フィルタ１１は、表面にキズが付き難くされるようにするために、硬度が高く、しかも液晶表示パネル１３からの熱によって変形し難い、たとえばアクリル樹脂製で構成することができる。
【００１６】
また、フィルタ１１は、液晶表示パネル１３の各走査ラインＳに重なるそれぞれの表示セル１１ａ，１１ｂを有するたとえばフレンネルレンズである。表示セル１１ａは、偶数番目の走査ラインＳに重なり、それぞれの走査ラインＳからの光を矢印Ａの方向に偏向し、これらの走査ラインＳ上の映像を矢印Ａの方向にのみ表示させる。
【００１７】
また、表示セル１１ｂは、奇数番目の走査ラインＳに重なり、それぞれの走査ラインＳからの光を矢印Ｂの方向に偏向し、これらの走査ラインＳ上の映像を矢印Ｂの方向にのみ表示させる。
【００１８】
反射パネル１２は、その一端側１２ａがたとえば液晶表示パネル１３の側面に対して回動自在となるように取り付けられている。反射パネル１２は、一端側１２ａを支点として、図１のように開放することができる。また、反射パネル１２は、一端側１２ａを支点として、図２のように閉じるようにすることができる。
【００１９】
なお、反射パネル１２が開放された場合には液晶ディスプレイ１０の電源が自動的にオンされ、反射パネル１２が閉じられた場合には液晶ディスプレイ１０の電源が自動的にオフされるように設定しておくことができるようにしてもよい。特に、反射パネル１２が閉じられた場合には、フィルタ１１を閉塞することができ、フィルタ１１の保護が可能となる。また、反射パネル１２は、図１では一端側１２ａを支点として時計回りに回動できるようになっているが、その他端側を支点として反時計回りに回動できるようにしてもよい。
【００２０】
反射パネル１２を回動自在とするためには、ヒンジ等を用いることができる。また、そのヒンジ等は、透明又は半透明な樹脂等で制作することができる。なお、反射パネル１２の一端側１２ａは、液晶表示パネル１３の側面に限らず、液晶表示パネル１３の上下面にヒンジ等を設け、そのヒンジ等を介して回動自在となるように取り付けられていてもよい。
【００２１】
また、反射パネル１２は、透明樹脂又はガラス等とし、背面側１２ｂに銀や錫をめっきした反射鏡とすることができる。この場合、図１のように、反射パネル１２を開放すると、視聴者がフィルタ１１から出て反射パネル１２で反射されたＡの方向の左半分の映像を見ることができ、同時にフィルタ１１からのＢの方向の右半分の映像を見ることができる。この場合、反射パネル１２の角度を調整することで、視聴者が目線を移動させなくてもＡの方向の映像とＢの方向の映像とを同時に見ることができる。
【００２２】
このように、反射パネル１２を用いることで、Ａの方向の映像とＢの方向の映像とを同時に見ることができ、液晶表示パネル１３の表示画面より大きなワイド映像を見ることが可能となる。また、従来のように、液晶表示パネル１３に対面する二人に相互に異なる表示内容を同時に見せるということも可能である。
【００２３】
この場合、液晶表示パネル１３が固定されていても、反射パネル１２の角度に応じてＡの向きを任意に設定できるので、視聴者は視聴位置が限定されずに、Ａの方向の左半分の映像を見ることが可能となる。なお、液晶表示パネル１３によって単一の映像を表示させるか、あるいはそれぞれ異なる映像を表示させるかは、図示しないたとえばリモコンを操作し設定することができるものとする。
【００２４】
なお、反射パネル１２は、反射鏡とせずに、たとえばマジックミラーとしてもよい。この場合には、図２のように、反射パネル１２を閉じても、液晶表示パネル１３の表示画面に映し出された映像を見ることができる。この場合、たとえばマジックミラーとした反射パネル１２を閉じた場合には、上記同様に、フィルタ１１を閉塞することができ、フィルタ１１の保護が可能となる。
【００２５】
次に、視聴方法について説明する。
まず、視聴者が一人で液晶表示パネル１３の表示画面より大きなワイド映像を見る場合には、図１に示したように、反射パネル１２を、その一端側１２ａを支点として開放する。この場合、上述したように、反射パネル１２が開放されたときに液晶ディスプレイ１０の電源が自動的にオンされるように設定されていれば、液晶ディスプレイ１０側の電源スイッチをオンしなくても、反射パネル１２の開放操作で液晶ディスプレイ１０の電源を自動的にオンさせることができる。
【００２６】
また、この場合、液晶表示パネル１３によって単一の映像が表示されるように、図示しないたとえばリモコンを操作し設定しておく。これにより、視聴者は、フィルタ１１から出て反射パネル１２で反射されたＡの方向の左半分の映像と、フィルタ１１からのＢの方向の右半分の映像とを同時に見ることができるため、液晶表示パネル１３の表示画面より大きなワイド映像を見ることができる。
【００２７】
一方、液晶表示パネル１３に対面する二人の視聴者が相互に異なる表示内容を同時に見る場合には、反射パネル１２の角度を調整し、フィルタ１１から出て反射パネル１２で反射されるＡの向きを任意に設定しておく。また、上記同様に、図示しないたとえばリモコンを操作し、液晶表示パネル１３によってそれぞれ異なる映像が表示されるように設定しておく。
【００２８】
これにより、液晶表示パネル１３が固定されていても、反射パネル１２の角度に応じてＡの向きを任意に設定できるので、一方の視聴者は視聴位置が限定されずに、Ａの方向の左半分の映像を見ることが可能となる。
【００２９】
また、図２に示したように、反射パネル１２を閉じた場合、上述したように、反射パネル１２が閉じられたときに液晶ディスプレイ１０の電源が自動的にオフされるように設定されていれば、液晶ディスプレイ１０側の電源スイッチをオフしなくても、反射パネル１２の閉塞操作で液晶ディスプレイ１０の電源を自動的にオフさせることができる。
【００３０】
また、特に、反射パネル１２が閉じられた場合には、フィルタ１１を閉塞することができ、フィルタ１１の保護が可能となるばかりか、液晶ディスプレイ１０の電源の消し忘れを防止することも可能となる。
【００３１】
また、上述したように、反射パネル１２を、反射鏡とせずに、たとえばマジックミラーとした場合には、反射パネル１２を閉じても、液晶表示パネル１３の表示画面に映し出された映像を見ることができる。この場合、反射パネル１２が閉じられたときに液晶ディスプレイ１０の電源が自動的にオフされないように設定しておけばよい。また、上記同様に、液晶表示パネル１３によって単一の映像が表示されるように、図示しないたとえばリモコンを操作し設定しておけばよい。
【００３２】
このように、本実施例では、偏光手段としてのフィルタ１１により、表示手段としての液晶表示パネル１３の全走査ラインＳのうち、所定の走査ラインＳ毎の光が一方向に偏向され、他の走査ラインＳ毎の光が他方向に偏向され、反射手段としての反射パネル１２により、一方向又は他方向に偏向された光が任意の方向に反射されるようにしたので、液晶表示パネル１３の表示画面より大きなワイド映像を見ることができる。
【００３３】
この場合、特に、携帯電話やＰＤＡ等のようなモバイル機器のように、表示画面が小さい場合には、その表示画面より大きな画面とすることができ、小さな文字を大きくして表示させることが可能となる。
【００３４】
また、本実施例では、反射パネル１２が液晶表示パネル１３に対して回動自在に取り付けられているので、反射パネル１２による光の向きを任意に設定することができ、反射パネル１２の角度を調整することで、従来のように、視聴者が目線を移動させなくてもＡの方向の映像とＢの方向の映像とを同時に見ることができる。
【００３５】
また、本実施例では、反射パネル１２が一端側１２ａを支点としてフィルタ１１を閉塞する位置から所定の角度まで回動できるように取り付けられているので、反射パネル１２によってフィルタ１１を閉塞した場合には、フィルタ１１の保護が可能となる。
【００３６】
また、本実施例では、反射パネル１２をマジックミラーとすることができ、反射パネル１２を閉じても、液晶表示パネル１３の表示画面に映し出された映像を見ることができる。この場合、たとえばマジックミラーとした反射パネル１２を閉じた場合には、上記同様に、フィルタ１１を閉塞することができ、フィルタ１１の保護が可能となる。
【００３７】
また、本実施例では、上述した反射パネル１２を用いることで、たとえば右画面ではテレビ放送を表示し、左画面ではインターネット画面を表示するといったような液晶マルチメディアモニタとしての用途の実現が可能となる。
【００３８】
また、本実施例では、上述した反射パネル１２を用いることで、運転手側には地図を表示し、助手席側にはＤＶＤ映像を表示するといったような従来同様の車載用ディスプレイとしての用途の実現も可能となる。ただし、本実施例では、反射パネル１２の角度を任意に設定できるので、液晶表示パネル１３が固定されていても、たとえば助手席側では液晶表示パネル１３の向きに合わせて見る位置(又は姿勢)を変えることなく、映像を見ることができる。
【００３９】
また、本実施例では、上述した反射パネル１２を用いることで、顧客には右画面で提案資料を表示し、販売員には左画面で内部資料を表示するといったような業務用モニタとしての用途の実現も可能となる。
【００４０】
また、本実施例では、上述した反射パネル１２を用いることで、右画面で“広告Ａ”を表示し、左画面で“広告Ｂ”を表示することで、右方向からの歩行者には“広告Ａ”が見え、左方向からの歩行者には“広告Ｂ”が見えるといったような広告用ディスプレイとしての用途の実現も可能となる。
【００４１】
また、本実施例では、上述した反射パネル１２を用いることで、右画面で“資料”を表示し、左画面でその資料を補足する“図面”を表示するといった、いわゆるマルチ画面のような用途の実現も可能となる。
【００４２】
また、本実施例では、上述した反射パネル１２を用いることで、２次元（２Ｄ）表示に限らず、視聴者の両眼にそれぞれ異なる映像が見えるようにすることで、立体像を表示させることができる３次元（３Ｄ）表示するといったような用途の実現も可能となる。
【００４３】
なお、本実施例では、フィルタ１１を、液晶表示パネル１３の各走査ラインＳに重なるそれぞれの表示セル１１ａ，１１ｂを有するたとえばフレンネルレンズである場合について説明したが、この例に限らず、液晶表示パネル１３のような液晶層を有し、その液晶層に印加される電界の強さに応じて複数の垂直な表示セルが形成される形成手段としてもよい。この場合、デュアルビュー表示のとき、複数の表示セルを出現させ、シングルビュー表示の場合には複数の表示セルを消すようにすればよい。
【産業上の利用可能性】
【００４４】
液晶表示パネルを用いた平面パネル型の表示装置に限らず、ブラウン管型の表示装置にも適用可能である。また、平面パネル型としては、液晶表示パネルに限らず、プラズマ・ディスプレイ（Plasma Display Panel） や、有機ＥＬ（Erectronic Luminescence）ディスプレイにも適用可能である。
【図面の簡単な説明】
【００４５】
【図１】本発明の表示装置を液晶ディスプレイに適用した場合の一実施例を説明するための図であり、反射パネルを開放した状態の平面図である。
【図２】図１の反射パネルを開じた状態を示す平面図である。
【図３】図１のフィルタの詳細を説明するための図である。
【図４】従来のデュアルビュー液晶の原理を説明するための図である。
【符号の説明】
【００４６】
１０  液晶ディスプレイ
１１  フィルタ(偏光手段)
１１ａ，１１ｂ  表示セル
１２  反射パネル(反射手段)
１３  液晶表示パネル(表示手段)
【図１】
2007127941.tif 000003
【図２】
2007127941.tif 000004
【図３】
2007127941.tif 000005
【図４】
2007127941.tif 000006